(57)【要約】【課題】デジタルカメラ等の撮像装置において、被写体側での視認性を高めると共に意匠性に富んだ表現を可能とする発光部を備えた、撮像装置、発光方法、及びプログラムの提供。【解決手段】デジタルカメラ１は導光リング２２に覆われた多色発光可能な発光源２０−１、２０−２、２０−３、・・・を同心円状に配置してなる。各発光源はＲ＋Ｇ＋Ｂの３色のＬＥＤ集合灯からなり、パルスのテンションを時系列に変化させることで色彩や発光の仕方を変化させることができる。つまり、所定のデューティを持つ時系列信号を発光源２０−１、２０−２、２０−３に与えることで導光リング２２は時間帯によって光り方が遷移して見えるので、時系列信号を発光源２０−１、２０−２、２０−３に与える時間をずらすことで導光リング２２上を回転して見えるようにできる。【選択図】  図３
2004354702.tif 000002
【特許請求の範囲】
【請求項１】
複数個の発光色の異なる発光素子からなる発光源を撮像レンズの周囲に複数個配置してなる発光部と、前記各発光源の各発光素子を所定の発光定義情報に基づいて発光させることにより前記発光部を発光させ、撮像装置の動作状況の示唆又は装飾照明を行う発光制御手段と、を備えたことを特徴とする発光部付き撮像装置。
【請求項２】
前記発光部は撮像レンズの周囲に同心円状に配置され、前記発光制御手段による発光制御によりリング状に光ることを特徴とする請求項１記載の発光部付き撮像装置。
【請求項３】
前記発光部は、前記発光部と、リング状に形成された導光リングと、一方が前記導光リングに接し、他方から前記発光源からの光を取り入れ、取り入れた光が拡散しないように前記導光リングに導く導光部とからなる、ことを特徴とする請求項１又は２に記載の発光部付き撮像装置。
【請求項４】
複数個の発光色の異なる発光素子からなる発光源を撮像レンズの周囲に複数個同心円状に配置してなる発光部と、所定の発光定義情報に基づいて前記各発光源の時間を発光源毎にずらして発光源単位で各発光素子を時系列的に発光させることにより前記発光部において光が回転して見えるようにする発光制御手段と、を備えたことを特徴とする発光部付き撮像装置。
【請求項５】
前記発光制御手段は、前記撮像装置が撮影待機状態時に前記発光部の発光制御を行なうことを特徴とする請求項４記載の発光部付き撮像装置。
【請求項６】
前記発光制御手段は、前記撮像装置がセルフタイマ起動時に前記発光部の発光制御を行なうことを特徴とする請求項４記載の発光部付き撮像装置。
【請求項７】
前記発光定義情報は前記各発光素子に与えるパルスデューティの数値を各発光源の各発光素子毎に時系列的に定義したものであることを特徴とする請求項１又は４に記載の発光部付き撮像装置。
【請求項８】
前記発光定義情報は前記発光源毎に各発光素子の所定の発光パターンを関数とパラメータで定義したものであることを特徴とする請求項１又は４に記載の発光部付き撮像装置。
【請求項９】
前記発光定義情報は前記発光源毎に各発光素子に与えるパルスデューティを演算手段により順次算出した結果であることを特徴とする請求項１又は４に記載の発光部付き撮像装置。
【請求項１０】
円形状に配置された複数個の発光色の異なる発光素子からなる発光源の各発光素子にパルスデューティを与えて時系列に発光させる動作を前記各発光源毎に時間を少しずつずらして行い、光が回転して見えるようにすることを特徴とする発光方法。
【請求項１１】
複数個の発光色の異なる発光素子からなる発光源を撮像レンズの周囲に複数個同心円状に配置してなる発光部を備えた撮像装置における発光部の発光方法であって、
撮像待機時には、前記各発光源の各発光素子に選択されたパルスデューティを与えて発光させ、オートフォーカス動作時には前記各発光を停止させ、オートフォーカス終了時には前記各発光源の各発光素子に所定のパルスデューティを与えて発光させ、露光中は前記発光を停止させ、露光終了時には前記各発光源の各発光素子に所定のパルスデューティを与えて発光させる、ことを特徴とする発光方法。
【請求項１２】
複数個の発光色の異なる発光素子からなる発光源を撮像レンズの周囲に複数個配置してなる発光部を備えた撮像装置において、所定の発光タイミングの到来時に実行されるプログラムであって、
前記各発光素子に与えるパルスデューティ値を定義した発光定義情報を発光タイミングに応じて取得させるステップと、前記発光定義情報から前記各発光源の各発光素子毎にパルスデューティ値を対応付けてメモリに展開させるステップと、前記メモリに展開されたパルスデューティ値に基づいて前記各発光源の各発光素子を発光させるステップと、を含むことを特徴とする発光制御プログラム。
【請求項１３】
複数個の発光色の異なる発光素子からなる発光源を撮像レンズの周囲に複数個配置してなる発光部を備えた撮像装置において、撮像モード時に実行されるプログラムであって、
撮像待機時には、前記各発光源の各発光素子に選択された発光定義情報に基づくパルスデューティを与えて発光させるステップと、オートフォーカス動作時には前記各発光を停止させるステップと、オートフォーカス終了時には前記各発光源の各発光素子に所定の発光定義情報に基づくパルスデューティを与えて発光させるステップと、露光中は前記発光を停止させるステップと、露光終了時には前記各発光源の各発光素子に所定の発光定義情報に基づくパルスデューティを与えて発光させる、ことを特徴とする撮像動作プログラム。
【発明の詳細な説明】
【０００１】
【発明の属する技術分野】
本発明は、デジタルカメラ等の撮像装置に関し、特に、発光部を備えた撮像装置、発光方法、及びプログラムに関する。
【０００２】
【従来の技術】
従来、カメラ用イルミネーションは、被写体側に情報を知らせる手段として用いられ、電源ＯＮ、セルフタイマ、オートフォーカス合焦等の表示用としてＬＥＤ等の光源を用い、点形状（Φ１〜２ｍｍ）に発光させていた（例えば、特許文献１参照）。
【０００３】
【特許文献１】
特開平６−２１４３０５公報
【０００４】
【発明が解決しようとする課題】
撮像装置、特に近年普及の著しいデジタルカメラでは、今日、ファッション性が求められつつあり、おしゃれな感じや光を使った機能性を訴求する例がある。
【０００５】
しかしながら、上記従来のカメラ用イルミネーションは上述したように点形状のため、視認性が悪く、画一的な表示しかできないため意匠性に乏しいという欠点があった。
【０００６】
本発明は、上記課題を解決するためになされたものであり、デジタルカメラ等の撮像装置において、被写体側での視認性を高めると共に意匠性に富んだ表現を可能とする発光部を備えた、撮像装置、発光方法、及び発光プログラムの提供を目的とする。
【０００７】
【課題を解決するための手段】
上記課題を解決するために、請求項１に記載の発明は、複数個の発光色の異なる発光素子からなる発光源を撮像レンズの周囲に複数個配置してなる発光部と、各発光源の各発光素子を所定の発光定義情報に基づいて発光させることにより発光部を発光させ、撮像装置の動作状況の示唆又は装飾照明を行う発光制御手段と、を備えたことを特徴とする発光部付き撮像装置を提供する。これにより、被写体人物や撮影を見ている人々に撮像装置の動作状況を知らせることができ、しかも、撮像装置に装飾的な美観を与え得る。
【０００８】
また、請求項２に記載の発明は、発光部は撮像レンズの周囲に同心円状に配置され、発光制御手段による発光制御によりリング状に光ることを特徴とする請求項１記載の発光部付き撮像装置を提供する。これにより、被写体人物の視線を撮像レンズに向けることができ、被写体人物の顔がレンズに正対した好適なポートレートや集合写真を取ることができる。また、リング状の光が撮像装置の装飾効果を増す。
【０００９】
また、請求項３に記載の発明は、発光部は、発光部と、リング状に形成された導光リングと、一方が導光リングに接し、他方から発光源からの光を取り入れ、取り入れた光が拡散しないように導光リングに導く導光部とからなる、ことを特徴とする請求項１又は２に記載の発光部付き撮像装置を提供する。これにより、発光源からの光は導光部で外部に広範に拡散しないようにされて導光リングに導かれるので、少ない損失で導光リング内に拡散し、発光源に対する制御に応じた光を導光リングに供給できる。
【００１０】
また、請求項４に記載の発明は、複数個の発光色の異なる発光素子からなる発光源を撮像レンズの周囲に複数個同心円状に配置してなる発光部と、所定の発光定義情報に基づいて各発光源の時間を発光源毎にずらして発光源単位で各発光素子を時系列的に発光させることにより発光部において光が回転して見えるようにする発光制御手段と、を備えたことを特徴とする発光部付き撮像装置を供給する。これにより、被写体人物や撮影を見ている人々の視線を撮像装置に集めることができる。また、回転する光により撮像装置に幻想的な美観を与え得る。
【００１１】
また、請求項５に記載の発明は、発光制御手段は、撮像装置が撮影待機状態時に発光部の発光制御を行なうことを特徴とする請求項４記載の発光部付き撮像装置を提供する。これにより、撮影待機時の被写体人物の関心を撮像装置に向けることができ、ポートレートや集合写真の撮影時にカメラに視線が向いた統一の取れた写真を得ることができる。
【００１２】
また、請求項６に記載の発明は、発光制御手段は、撮像装置がセルフタイマ起動時に発光部の発光制御を行なうことを特徴とする請求項４記載の発光部付き撮像装置を提供する。これにより、被写体人物の関心を撮像装置に向けることができ、集合写真の撮影時にカメラに視線が向いた統一の取れた写真を得ることができる。
【００１３】
また、請求項７に記載の発明は、発光定義情報は各発光素子に与えるパルスデューティの数値を各発光源の各発光素子毎に時系列的に定義したものであることを特徴とする請求項１又は４に記載の発光部付き撮像装置を提供する。これにより、パルス幅を発光源毎に且つ発光素子毎に時系列的に発光定義情報として保存しておき、撮像装置の動作タイミングに応じた発光定義情報を取り出して発光制御することができ、被写体人物や撮影を見ている人々に撮像装置の動作状況を知らせることができ、しかも、撮像装置に変化のある装飾的な美観を与え得る。
【００１４】
また、請求項８に記載の発明は、発光定義情報は発光源毎に各発光素子の所定の発光パターンを関数とパラメータで定義したものであることを特徴とする請求項１又は４に記載の発光部付き撮像装置を提供する。これにより、撮像装置の動作タイミングに応じた発光パターンを関数とパラメータで定義しておけば、撮像装置の動作タイミングに応じた発光定義情報を取り出して発光制御することができるので上記請求項７に記載の発明と同様の効果を生じ得る。
【００１５】
また、請求項９に記載の発明は、発光定義情報は発光源毎に各発光素子に与えるパルスデューティを演算手段により順次算出した結果であることを特徴とする請求項１又は４に記載の発光部付き撮像装置を提供する。これにより、撮像装置の動作タイミングに応じて係数を変化させてパルスデューティを算出できるので、撮像装置の動作タイミングに応じた発光定義情報を取り出して発光制御することができるので上記請求項７に記載の発明と同様の効果を生じ得る。
【００１６】
また、請求項１０に記載の発明は、円形状に配置された複数個の発光色の異なる発光素子からなる発光源の各発光素子にパルスデューティを与えて時系列に発光させる動作を各発光源毎に時間を少しずつずらして行い、光が回転して見えるようにすることを特徴とする発光方法を提供する。これにより、被写体人物や撮影を見ている人々の視線を撮像装置に集めることができる。また、回転する光により撮像装置に幻想的な美観を与え得る。
【００１７】
また、請求項１１に記載の発明は、複数個の発光色の異なる発光素子からなる発光源を撮像レンズの周囲に複数個同心円状に配置してなる発光部を備えた撮像装置における発光部の発光方法であって、撮像待機時には、各発光源の各発光素子に選択されたパルスデューティを与えて発光させ、オートフォーカス動作時には各発光を停止させ、オートフォーカス終了時には各発光源の各発光素子に所定のパルスデューティを与えて発光させ、露光中は発光を停止させ、露光終了時には各発光源の各発光素子に所定のパルスデューティを与えて発光させる、ことを特徴とする発光方法を提供する。
これにより、撮影待機時には被写体に応じて異なる発光ができるので、被写体人物の年齢等に応じた発光を行うようにしてカメラに関心を集めることができる。また、オートフォーカス動作時や露光中には発光を停止するので、光が撮像レンズに入らず、悪影響を及ぼさない。また、オートフォーカス動作終了時や露光終了時には発光させるので、被写体人物はその旨を知ることができる。
【００１８】
また、請求項１２に記載の発明は、複数個の発光色の異なる発光素子からなる発光源を撮像レンズの周囲に複数個配置してなる発光部を備えた撮像装置において、所定の発光タイミングの到来時に実行されるプログラムであって、各発光素子に与えるパルスデューティ値を定義した発光定義情報を発光タイミングに応じて取得させるステップと、発光定義情報から各発光源の各発光素子毎にパルスデューティ値を対応付けてメモリに展開させるステップと、メモリに展開されたパルスデューティ値に基づいて各発光源の各発光素子を発光させるステップと、を含むことを特徴とする発光制御プログラムを提供する。
これにより、撮像装置の発光タイミングに応じたパルスデューティ値に基づいて発光状態を変えて発光させることができるので、被写体人物や撮影を見ている人々に撮像装置の動作状況を知らせることができ、しかも、撮像装置に変化に富んだ美観を与え得る。
【００１９】
また、請求項１３に記載の発明は、複数個の発光色の異なる発光素子からなる発光源を撮像レンズの周囲に複数個配置してなる発光部を備えた撮像装置において、撮像モード時に実行されるプログラムであって、撮像待機時には、各発光源の各発光素子に選択された発光定義情報に基づくパルスデューティを与えて発光させるステップと、オートフォーカス動作時には各発光を停止させるステップと、オートフォーカス終了時には各発光源の各発光素子に所定の発光定義情報に基づくパルスデューティを与えて発光させるステップと、露光中は発光を停止させるステップと、露光終了時には各発光源の各発光素子に所定の発光定義情報に基づくパルスデューティを与えて発光させる、ことを特徴とする撮像動作プログラムを提供する。
これにより、撮影待機時には被写体に応じて異なる発光を行わせることができるので、被写体人物の年齢等に応じた発光を行うようにしてカメラに関心を集めることができる。また、オートフォーカス動作時や露光中には発光を停止するので、光が撮像レンズに入らず、悪影響を及ぼさない。また、オートフォーカス動作終了時や露光終了時には発光させるので、被写体人物はその旨を知ることができる。
【００２０】
【発明の実施の形態】
＜第１の実施の形態＞
図１は本発明に係る撮像装置の一実施例の外観を示す図であり、デジタルカメラの例を示す。また、図１（ａ）は正面図、図１（ｂ）は背面図、図１（ｃ）は平面図（上面図）である。
【００２１】
図１で、デジタルカメラ１は正面側にレンズ４を有し、更に、光学ファインダ５１、レンズ４を中心として配置された導光リング２２を有している。また、導光リング２２に覆われて見えないが導光リング２２に沿ってＲＧＢ集合灯からなる複数の発光源（発光源２０−１、２０−２、・・・）が配設されている。
【００２２】
デジタルカメラ１の背面部にはＴＦＴ液晶モニタ１８、光学ファインダ５１、録画モード（ＲＥＣモード）と再生モード（ＰＬＡＹ）との切換えを行なう切換えスイッチ５５、液晶モニタスイッチ５６、ズームキー５７、メニューキー５９、及び十字キー５４等のスイッチ及びキーが設けられている。また、上面には電源ボタン５２及びシャッターキー５３が設けられ、側部にはパーソナルコンピュータ（以下、パソコン）やモデム等の外部装置とＵＳＢケーブルを接続する場合に用いるＵＳＢ端子接続部５８が設けられている。なお、更に、正面等に赤外線通信やブルートゥース等の近接通信用の光送受口や無線通信用アンテナを設けるようにしてもよい。
【００２３】
図２は上記デジタルカメラ１の内部構成の概略を示すブロック図であり、デジタルカメラ１は撮像手段であるＣＣＤ２により撮像した画像をＪＰＥＧ形式に変換する等の画像処理機能を備えたＭＰＵ３を中心に構成されている。
【００２４】
ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバ８が出力する駆動信号が駆動機構７に供給されることにより光軸上を前後に移動する合焦動作を行なう。絞り６はＭＰＵ３からの制御信号に基き絞り駆動部９が発生する駆動信号により駆動し、ＣＣＤ２に入射する被写体像の光量を調節する。
【００２５】
また、ＭＰＵ３にはタイミング信号を発生するＴＧ（Ｔｉｍｉｎｇ  Ｇｅｎｅｒａｔｏｒ）１０が接続されており、ＴＧ１０が発生したタイミング信号に基きＶドライバ１１（垂直方向ドライバ）がＣＣＤ２を駆動し、それに伴いＣＣＤ２により被写体像の輝度に応じたアナログの撮像信号が出力されユニット回路１２に送られる。
【００２６】
ユニット回路１２は、ＣＣＤ２から出力された撮像信号を保持するＣＤＳと、ＣＤＳからアナログ信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ２からの出力信号はここで黒レベルを合わせてサンプリングされ、デジタル信号としてＭＰＵ３に送られる。
【００２７】
ＭＰＵ３に送られたデジタル信号（撮像信号）はＤＲＡＭ１３に一時保存されると共に、ＭＰＵ３によって各種の画像処理が施された後、最終的には圧縮された映像信号としてフラッシュメモリ（ＦＬＡＳＨ）１４に保存される。フラッシュメモリ（ＦＬＡＳＨ）１４に保存された映像信号は必要に応じてＭＰＵ３に読み出され、伸張処理、輝度信号及び色信号の付加等の処理を経てデジタルビデオ信号やアナログビデオ信号に変換される。
【００２８】
更に、ＭＰＵ３にはＭＲＯＭ１５、電源回路１６、図１に示した各種スイッチ及びキー群を含む操作キー部１７、前記ＴＦＴ液晶モニタ１８及び前述したＲＧＢ集合灯からなる発光源２０−１、２０−２、・・・の発光を行なわせる発光ブロック１９及び外部装置とのデータの授受を行なうＵＳＢインターフェイス２１が接続されている。また、赤外線通信やブルートゥース等の近接通信用のインターフェイスや無線通信用インターフェイスを接続するようにしてもよい。
【００２９】
ＭＲＯＭ１５はＭＰＵ３の動作プログラムが記録されたプログラム格納用ＲＯＭである。また、ＭＲＯＭ１５には撮像時の適正な露出値（ＥＶ）に対応する絞り値（Ｆ）とシャッタースピードとの組み合わせを示すプログラム線図を構成するプログラムや、ＡＥデータや、後述する導光リングの発光制御プログラム及び発光定義情報（例えば、イルミネーション定義テーブル）が格納されている。
【００３０】
ＭＲＯＭ１５に記録された動作プログラムは、撮像時に、発光制御プログラムを動作させ、ＲＧＢ集合灯のＲ、Ｇ、Ｂそれぞれの発光タイミングと発光源が複数の場合はそれらの発光順序等を制御する発光制御信号を生成させ、導光リング２２の発光制御を行わせる（図１１）。
【００３１】
ＭＰＵ３は、また、内蔵するＲＡＭをワーキングメモリとして前記動作プログラムに従って動作することにより表示制御手段や本発明の点灯制御手段として動作する。前記プログラム線図に従って前記ＣＣＤ２の電荷蓄積時間や前記絞り６の開放度、前記ユニット回路１２のゲイン調整アンプ（ＡＧＣ）のゲイン設定等を行なう。
【００３２】
ＭＰＵ３が設定した電荷蓄積時間はシャッターパルスとしてＴＧ１０を介してＶドライバ１１に供給され、これに従いＶドライバ１１がＣＣＤ２を駆動することにより電荷蓄積時間すなわち露光時間が制御される。つまり、ＣＣＤ２は電子シャッターとして機能する。また、ＭＲＯＭ１５に記録された動作プログラムにはオートフォーカス制御に関するプログラムが含まれており、かかるプログラムに基きＭＰＵ３は前記フォーカスレンズ５を駆動させてピント合わせ（オートフォーカス）を行なう。
【００３３】
ＴＦＴ液晶モニタ１８は、録画モードにおいては逐次撮像された画像をスルー画像として表示し、再生モードにおいては前記フラッシュメモリ１４に保存された画像データ（圧縮された映像信号）から生成されたアナログビデオ信号に基く映像を表示する。
【００３４】
発光ブロック１９は前述したＲＧＢ集合灯からなる発光源２０−１、２０−２、・・・に電気的に接続し、必要に応じて駆動されるもので、例えば、撮像時に、ＭＰＵ３で発光制御プログラムに従って生成される発光制御信号に基いて発光源２０または発光源２０を構成するＲＧＢ集合灯のうちの特定のＬＥＤを発光させる。
【００３５】
図３は本発明の発光部を備えた撮像装置の概要説明図であり、図１に示したデジタルカメラ１は導光リング２２に光を供給する多色発光可能な発光源２０−１、２０−２、２０−３、・・を少なくとも３個同心円状に配置してなる。
【００３６】
これらの発光源２０−１、２０−２、２０−３、・・は、一箇所に発光源が固まって見えないように、半透過、白色、つや消しの導光リング２２によって覆われており直接には目視できない。また、発光源の周囲は光を拡散するように拡散部の拡散板で囲い込まれている。
【００３７】
また、広範に拡散しないように、例えば、図示の例で、発光源２０−１と発光源２０−２の中間点で発光源２０−１と発光源２０−２から発せられた光量の輝度レベルが半分程度まで減衰するように拡散板を調節する。発光源２０−２と発光源２０−３、発光源２０−３と発光源２０−１についても同様である。このように実装することによって発光源２０−１、２０−２、２０−３は、一箇所に発光が固まらず、発光源２０−１と発光源２０−２、発光源２０−２と発光源２０−３、発光源２０−３と発光源２０−１は相互にほどよく干渉し合うこととなる。なお、簡易な構造でレンズ周辺をリング状に光らせる構造については後述する（図１３の説明参照）。
【００３８】
図４は多色発光源の一実施例を示す図であり、図５は多色発光源の発光原理の説明図である。
多色発光源２０は、図４に示すようなＲ＋Ｇ＋Ｂの３色のＬＥＤ集合灯からなり、パルスのテンションを図５の例に示すように変化させることで色彩や発光の仕方を変化させることができる。
【００３９】
図５で、スイッチング波形の周期Ｔは十分に短い時間帯である。図５に示すスイッチングパルス９１を積分すると符号９２で示すような波形が再現できる。逆に、周期Ｔを下回る周波数成分を持つ、いかなる波形も、パルスの幅によって再現できることが知られている。
【００４０】
多色発光源２０を構成する各ＬＥＤ（図４）に与えられる電圧波形が図示のようなパルス９１の場合、そのパルスのデンシティ（周期Ｔに占める割合）がゼロのときはＬＥＤは消灯して見え、パルスのデンシティが４０％のとき、ＬＥＤは全点灯に比べて大略４０％程度の明るさに見える。換言すれば、パルスの幅が広いほどその時間帯で明るく点灯する。つまり、パルス９１のデンシティを時系列に従って図示のように変化させると、ＬＥＤの明るさが時系列で変化して見える。
【００４１】
図６は、多色発光源を構成するＲＧＢの各ＬＥＤの点灯周期による色の見え方の説明図であり、図６（ａ）はＲのＬＥＤに印加する信号パターンの一例、図６（ｂ）はＧのＬＥＤに印加する信号パターンの一例、図６（ｃ）はＢのＬＥＤに印加する信号パターンの一例であり、図６（ａ）、（ｂ）、（ｃ）ではＲＧＢの点灯周期を微妙にずらしてある。
ＲＧＢの各ＬＥＤに図６に示したような信号を印加すると、先ず、全体にホワイトから徐々に赤く点灯をはじめ、次に、赤→黄色→緑→水色→青→・・・と徐々に色が変化し、徐々に消灯し、最後に徐々に白く点灯していくパターンとなる。
【００４２】
このような発光パターンの制御方法としては、最も簡単な例としては、例えば、パルスデューティを数値として外部から与える方法がある。この方法の例として、パルスの幅を００（０％点灯）〜ＦＦ（１００％点灯）の２５６の分解能で制御できるとして、発光定義情報として図７に示すようなイルミネーション定義テーブルを予め作ってＭＲＯＭ１５（図２）に格納しておき、発光制御プログラムで参照し、解釈して発光制御を行うことができる（図１２参照）。
【００４３】
この他にも、
▲１▼発光定義情報として、ある種の固定発光パターンを「関数」と「パラメータ」として定義したテーブルを作成し、発光制御プログラムで参照しながら発光制御を行う方法や、
▲２▼発光定義情報として、発光制御プログラムに複数の数学的関数を畳み込んだ（Ｃｏｎｖｏｌｕｔｉｏｎ）演算式の係数テーブルを作成し、選択された係数テーブルの係数を用いて数値演算でデューティを逐次演算して様々な発光パターンを得て発光制御を行う方法、等がある。
【００４４】
図８は、発光源２０に与える時系列信号の一実施例を示す図であり、図８（ａ）は図３の発光源２０−１に与える時系列信号、図８（ｂ）は図３の発光源２０−２に与える時系列信号、図８（ｃ）は図３の発光源２０−３に与える時系列信号である。
【００４５】
図示のようなデューティを持つ時系列信号を表す発光制御用の数値が予め前述（図７）したイルミネーション定義テーブルのようなテーブルとして予めＭＲＯＭ１５に格納されているとすると、発光制御プログラムでイルミネーション定義テーブルを解釈して、図示のようなデューティを持つ時系列信号を生成しタイミングをずらして発光源２０−１、２０−２、２０−３に与えることにより、図９に示すようにデジタルカメラに設けられた導光リング２２内を回転するように光を遷移させることができる。
【００４６】
図９はデジタルカメラの導光リング２２の発光状態の遷移を示す説明図であり、図８に示したデューティを持つ時系列信号を１秒ずつタイミングをずらして発光源に与えた結果を示す図である。
【００４７】
図８に示したようなデューティを持つ時系列信号を発光源２０−１、２０−２、２０−３に与えることで導光リング２２は時間帯によって光り方が次のように遷移して見える。
先ず、最初の１秒時間帯には発光源２０−１が白色に明るく、その他の部分が暗い紫色に発光して見える（図９（ａ））。それらが緩やかに遷移していき、２秒時間帯には発光源２０−２が白色に明るく、その他の部分が暗い紫色に発光して見え（図９（ｂ））、３秒時間帯には発光源２０−３が白色に明るく、その他の部分が暗い紫色に発光して見える（図９（ｃ））。
【００４８】
これらの遷移を時系列的に沿って眺めると、暗い緑の導光リング２２上を白色の光が約４秒を１周期として緩やかに回転して見える。この回転の周期は約４秒に限定されず、もっと早く、或いはもっと遅く制御可能である。また、発光色、色相及び発光の具合（例えば、チカチカ光る、等）や、回転方向（例えば、逆方向、或いは方向反転、等）も自在に制御可能である。また、同じ回転制御を行う場合でも図１０に示す例のように色相やタイミングには様々なバリエーションがある。
【００４９】
図１１は、デジタルカメラの撮像時における動作プログラムの動作例を示すフローチャートであり、所定のタイミングで導光リングを発光させるようにステップＳ１、Ｓ５、Ｓ６、Ｓ８、Ｓ１１、Ｓ１３、及びＳ１６で発光制御プログラム（図１２参照）を呼び出す。
図１１で、ユーザがデジタルカメラ１の電源をＯＮにすると、ＭＰＵ３は動作プログラムに従って導光リング２２の発光制御プログラムを呼出し、導光リング２２を所定の発光定義情報（例えば、導光リング２２全体を赤色）に基づいて発光させて電源ＯＮであることがユーザにわかるようにする（ステップＳ１）。
【００５０】
ユーザが撮影モードを選択すると（ステップＳ２）、被写体画像が取り込まれ、スルー画像が表示される（ステップＳ３）。この際、導光リング２２はステップＳ１の発光状態を保って光っているが、ユーザは撮影モード選択時のキー操作により、導光リング発光メニューを液晶モニタ１８に表示させて、メニューに表示された発光条件を選択することができる。ユーザが所望の発光条件を選択すると、ＤＲＡＭ１３に選択した発光条件の番号を保持してステップＳ５に進む。また、導光リング発光メニューを表示させなかったか、発光条件等を選択しなかった場合はステップＳ６に進む（ステップＳ４）。
【００５１】
ＭＰＵ３は動作プログラムに従って発光制御プログラムを呼出し、導光リング２２を上記ステップＳ４で選択された発光条件で発光させるようにし、ステップＳ７に進む（ステップＳ５）。
【００５２】
ＭＰＵ３は動作プログラムに従って発光制御プログラムを呼出し、スルー画像表示の際の所定の発光定義情報（例えば、約２秒周期で白い光を右方向に回転させる発光定義情報）に基づいて導光リング２２を発光させるようにし、ステップＳ７に進む（ステップＳ６）。
【００５３】
次に、シャッター５３が半押しされると（ステップＳ７）、ＭＰＵ３は動作プログラムに従って発光制御プログラムを呼出し、導光リング２２の発光を停止（消灯）させるようにしてユーザ又は被写体人物にオートフォーカス動作及びホワイトバランス処理中であることをわかるようにし（ステップＳ８）、オートフォーカス動作及びホワイトバランス処理を行う（ステップＳ９）。
【００５４】
また、オートフォーカス動作が終了すると（ステップＳ１０）、ＭＰＵ３は動作プログラムに従って発光制御プログラムを呼出し、導光リング２２を所定の発光定義情報（例えば、導光リング２２全体を白色とする発光定義情報）に基づいて発光させてオートフォーカスが終了したことがユーザ又は被写体人物にわかるようにする（ステップＳ１１）。
【００５５】
また、ユーザがシャッター５３を全押しして撮影を行うと（ステップＳ１２）、ＭＰＵ３は画像データをＤＲＡＭ１３に取り込んでから、動作プログラムに従って発光制御プログラムを呼出し、導光リング２２の発光を停止させてユーザに撮影（露光）中であることがわかるようにし（ステップＳ１３）、撮影処理を開始する（ステップＳ１４）。
【００５６】
露光終了後（ステップＳ１５）、ＭＰＵ３は動作プログラムに従って導光リング２２の発光制御プログラムを呼出し、導光リング２２を所定の発光定義情報（例えば、導光リング２２全体を緑色とする発光定義情報）に基づいて発光させて露光が終了したことがユーザにわかるようにする（ステップＳ１６）。
【００５７】
なお、上記ステップＳ１３で撮影（露光）中は導光リング２２を消灯するようにしたが、導光リング２２を発光させ、光の強さをＣＣＤ２からの光量に基づいて制御するようにしてもよいし、撮影距離（ＡＦ値）に基づいて導光リング２２の発光による影響分を補正するようにして導光リング２２の光の強さを制御するようにしてもよい。
【００５８】
また、上記図１１のフローチャートに示す動作により、デジタルカメラ１は電源ＯＮ時、スルー画像表示時、オートフォーカス終了時、露光終了時に導光リング２２を発光させるようにしたが、発光させるタイミングはこれらに限定されない。
【００５９】
例えば、セルフタイマによる撮像時に導光リングを所定の色で発光させて被写体人物の視線をレンズ部分に集めるようにすることができる。また、この際、回転速度を変化させたり、シャッターがおりた直後に光の強さや色を変えたり、導光リング２２全体を特定の色で光らせたりすることもできる。
【００６０】
また、発光対象は導光リング２２に限定されず、レンズの周囲を発光するように複数の多色発光源を設けるようにしてもよい。また、発光具合やタイミングを下記▲１▼〜▲３▼のようにすることもできる。
▲１▼シャッタースピードに合わせてレンズ周りを点滅させるようにする。
▲２▼フィルターに合わせた色でレンズ周りを光らせる。
▲３▼音に反応させてレンズ周りの光り方を変化させる。
【００６１】
図１２は、発光制御プログラムに基づく発光制御動作を示すフローチャートである。
図１１に示したフローチャートの発光タイミング又は発光停止（消灯）タイミングや、図示しないセルフタイマモードでの発光タイミングでは、撮像時の動作プログラムは発光制御プログラムを呼出して、発光タイミングではタイミングに応じたイルミネーション定義テーブルを用いて多色発光源２０を点灯して導光リング２２を発光させる。なお、説明上、電源ＯＮ、スルー画像表示、オートフォーカス終了、露光終了、セルフタイマ開始、セルフタイマ終了（自動シャッター）、等の発光（発光停止）のタイミングに応じたイルミネーション定義体が（イルミネーション定義テーブル０１〜０６（図示せず））として予めＭＲＯＭ１５に格納されているものとする。
図１２で、図１１に示したフローチャートの発光タイミング又は発光停止（消灯）タイミングで発光制御プログラムが呼び出されると、ＭＰＵ３は発光制御プログラムを呼び出したタイミングを調べ、発光タイミングの場合（例えば、電源ＯＮ、スルー画像表示、オートフォーカス終了、露光終了、セルフタイマ開始、セルフタイマ終了等の場合）はステップＴ２に進み、停止タイミングの場合（例えば、シャッター半押し、シャッター全押し等の場合）はステップＴ５に進む（ステップＴ１）。
【００６２】
発光タイミングの場合は、発光定義情報として、ＭＲＯＭ１５に格納されているイルミネーション定義テーブル０１〜０６のうちの発光タイミングの種類又は動作プログラムから受け取る発光定義情報の番号に応じたイルミネーション定義テーブルを取り出して、イルミネーション定義テーブルから各発光源（２０−１、２０−２、２０−３）の各ＬＥＤのパルスデューティ値を各ＬＥＤに対応付けて主メモリ（この例ではＤＲＡＭ１３）に展開し（ステップＴ３）、イルミネーション定義テーブルに規定された色彩、周期及び強度で、展開したパルスデューティ値どおりに各ＬＥＤの発光を制御し、発光源２０−１、２０−２、２０−３をイルミネーション定義テーブルに規定されたタイミングで順次発光させて、導光リング２２を発光させる（ステップＴ４）。
【００６３】
また、停止タイミングの場合は、各発光源の各ＬＥＤを消灯させて導光リング２２の発光を停止させる（ステップＴ５）。
【００６４】
上記図１２のフローチャートに示した動作により、デジタルカメラ１の通常の撮像モード及びセルフタイマモードの所定のタイミングでレンズ周辺を発光させ、所定の色彩及び色相の光を所定の周期でリングに沿って回転させたり、周辺全体を光らせたり、点滅させたり、発光を停止させることができる。
【００６５】
なお、発光はレンズ周辺に限定されず、また、リング状に発光させる場合も１つのリングではなく複数のリングを発光させるようにすることもできる。また、発光させるモードは、通常撮像モードやセルフタイマモードに限定されない。つまり、発光させるモードの発光タイミングに応じたイルミネーション定義テーブルを発光定義情報としてＭＲＯＭ１５等の保存メモリに格納しておき、発光タイミング又は発光停止タイミングで動作プログラムが発光制御プログラムを呼び出すように構成すればよい。
【００６６】
なお、上記ステップＴ３、Ｔ４で用いる発光定義情報は図７に示したようなイルミネーション定義テーブルに限定されない。例えば、発光源毎に各ＬＥＤの所定の発光パターンを関数とパラメータで定義したテーブルであってもよく、発光源毎に各ＬＥＤに与えるパルスデューティを演算式の係数を含むテーブルでもよい。この場合は、ステップＴ３では発光タイミングに応じた係数の演算式による演算結果を各ＬＥＤに対応付けて主メモリに展開するようにする。
【００６７】
図１３〜図１６は、それぞれ、レンズ周辺をリング状に光らせる簡易な構造例を示す図であり、導光リング及び発光源からなる導光リング構造の一実施例を示す図である。
【００６８】
図１３は導光リングと１つの発光源からなる導光リング構造を示し、図１３（ａ）は正面図、図１３（ｂ）は側面図である。また、符号１３１は発光源を、符号１３２は導光部を、符号１３３は導光リングを意味する。
【００６９】
発光源１３１は図４に示したようなＲ＋Ｇ＋Ｂの３色のＬＥＤ集合灯からなり、パルスのテンションを図５の例に示すように変化させることで色彩や発光の仕方を変化させることができる。なお、発光源１３１は２色のＬＥＤ集合灯でもよい。
【００７０】
導光部１３２は導光リング１３３に接し、光を広範に拡散しないようにして両側に導光するための三角形の導光板からなっている。また、導光リング１３３は、円形状に形成された、半透過、白色、つや消しのリングであり、本実施の形態ではデジタルカメラ１のレンズ４を中心として同心円状に設けられる。また、発光源１３１は図示のように導光リング１３３に接する導光部１３２の導光板の先端に設置される。
【００７１】
このように構成された導光リング構造１３０で発光源１３１の周期、色彩、色相、光量等を制御することにより、発光源１３１で発せられた光は導光部１３２で導光リング１３３の両側に導光され、少ない損失で導光リング１３３内で拡散するので、発光源に対する制御に応じた光を導光リング１３３に供給することができる。
【００７２】
図１４は導光リングと複数の発光源からなる導光リング構造を示し、図１４（ａ）は正面図、図１４（ｂ）は側面図である。また、符号１３１−１、１３１−２は発光源を、符号１３２−１、１３２−２は導光部を、符号１３３は導光リングを意味する。
【００７３】
発光源１３１−１、１３１−２は図１３に示したようなＬＥＤ集合灯からなり、パルスのテンションを図６の例に示すように変化させることで色彩や発光の仕方を変化させることができる。導光部１３２−１、１３２−２は対角の位置で導光リング１３３の上下に接し、光を広範に拡散しないようにして導光するための円形の導光板からなっている。また、導光リング１３３は図１３に示したようなリングである。また、発光源１３１−１、１３１−２はそれぞれ図示のように導光リング１３３に接する導光板１３２−１、１３２−２の先端に設置される。
【００７４】
このように構成された導光リング構造１４０で発光源１３１−１、１３１−２の周期、色彩、色相、光量及び発光タイミング等を制御することにより、発光源１３１−１、１３１−２で発せられた光は導光部１３２−１、１３２−２で導光リング１３３に導光され、導光リング１３３内で拡散し、発光源の制御に応じた光、例えば、回転する光、を見ることができる。
【００７５】
なお、本実施例では発光源を２組としたが、図３に示したように発光源を３組としてもよく、またそれ以上の数の発光源を設けるようにしてもよい。この場合は、各発光源から発せられる光を導光リング１３３に導光する導光部をそれぞれの発光源に対応付けて設けるようにする。このように構成することにより、光源の配線を一箇所に集中できるのでデジタルカメラや後述する撮像部付き携帯電話のように限られた大きさの撮像装置に導光リング構造を設ける場合に配線がしやすくなる。
【００７６】
図１５は、図１４の導光リング構造の変形例であり、図１５（ａ）は正面図、図１５（ｂ）は側面図である。この例は、導光部１３２−１、１３２−２と導光リング１３３を交差させるようにして一箇所に集中させた例である。このように構成することにより、発光源の配線を一箇所に集中できるのでデジタルカメラや後述する撮像部付き携帯電話のように限られた大きさの撮像装置に導光リング構造を設ける場合に配線がし易くなる。
【００７７】
図１６は、図１３の導光リング構造の他の変形例であり、図１６（ａ）は正面図、図１６（ｂ）は側面図である。この例は、発光源と導光リングの高さを変えた例である。
【００７８】
図１３の例では、発光源１３１、導光部１３２、及び導光リング１３３を同一平面としたが、図１６（ｂ）に示すように導光部１３４の導光板を屈曲させて導光リング１３３に接するようにすることにより、高さの異なる発光源１３１から発せられた光を導光リング１３３に導光できる。
【００７９】
＜第２の実施の形態＞
図１７は、本発明の実施の形態を撮像部を備えた携帯電話に適用した場合の一実施例を示す図であり、図１７（ａ）は携帯電話１７０の開状態の外観を示す正面図、図１７（ｂ）は背面図である。図において、携帯電話１７０は大きく蓋部１７２と本体部１７３から構成されている。また、蓋部１７２は本体部１７３側に折り込み可能に構成されている。アンテナ１７４は蓋部１７２の背面に設けられており、伸縮自在となっている。
【００８０】
スピーカ１７５は、蓋部１７２の前面側に設けられており、音声出力を行う。表示部（メイン表示部）１７６はカラー液晶であり、開状態でカメラモードへの移行を検出するとスルー画像を表示する。シャッターキー１７７は本体部１７３の側面に設けられており、カメラモードにおいて、ユーザの押圧操作により、後述する撮像レンズ１８１による撮像を指示する。キー入力部１７８は本体部１７３の前面に設けられており、各種機能キーや、テンキーからなる。マイク１８９は本体部１７３の下部に設けられており、音声入力を行う。
【００８１】
背面キー１８０は、透明、又は半透明部材で構成され、着信の際発光するＬＥＤを内蔵する。撮像レンズ１８１は、蓋部１７２の背面、上記背面キー１８０の下部に設けられている。撮像レンズ１８１の周囲には同心円状の導光リング１８２が設けられており、後述するようにカメラモードにおいて、所定のタイミングで発光し、カメラモードの各タイミングを示唆又は報知すると共に、携帯電話の装飾的イルミネーションとしての役割をなす。なお、導光リングの発光原理及び光の見えかたは前述した第１の実施の形態で説明した導光リング２２の発光原理及び光の見えかた（図３〜図１０参照）と同様である。
【００８２】
バッテリーパック１８３は本体部１７３の裏面に着脱可能に設けられており、ロック部１８４により固定されている。報知スピーカ１８５は着信などを報知するものである。
【００８３】
図１８は本実施形態による携帯電話の構成を示すブロック図である。無線送受信部１８６は無線によりアンテナ１７４を介して音声やデータを送受する。無線信号処理部１８７は無線送受信部１８６で受信した音声やデータを復調し、或いは無線送受信部１８６から送信する音声やデータを変調するなどの無線通信に必要な処理を行う。制御部１８８はＲＯＭ１９４に格納されている動作プログラムにより、蓋部１７２、本体部１７３、及び携帯電話１７０全体の動作を制御する。
【００８４】
検出部１８９はシャッターキー１７７が操作されたことを検出する。開閉検出部１９０は、光センサ、メカニカルスイッチ等で構成され、携帯電話１７０が開状態（蓋部１７２と本体部１７３が開放された状態）になったのか、閉状態（本体部１７３に蓋部１７２が被さった状態）か、を検出する。また、ドライバ１９１は表示部１７６を駆動させる。
【００８５】
発光ブロック１９２は、ＲＧＢ集合灯からなる発光源（図３、図４参照）に電気的に接続し、必要に応じて駆動されるもので、例えば、撮像時に、制御部１８８で発光制御プログラムに従って生成される発光制御信号に基いて発光源または発光源を構成するＲＧＢ集合灯のうちの特定のＬＥＤを発光させる。
【００８６】
加入者情報記憶部１９３は携帯電話１７０を呼び出すための電話番号やユーザ（加入者）のＩＤ等、プロフィールデータを格納する。ＲＯＭ１９４は制御部の動作プログラムが記録されたプログラム格納用ＲＯＭである。また、ＲＯＭ１９４にはカメラモードにおける動作プログラム（図１１参照）や、後述する導光リングの発光制御プログラム（図１２参照）及び発光制御用のテーブル（例えば、イルミネーション定義テーブル（図７参照））が格納されている。
【００８７】
ＭＲＯＭ１５に記録されたカメラモードにおける動作プログラムは、撮像時に発光制御プログラムを動作させ、ＲＧＢ集合灯のＲ、Ｇ、Ｂそれぞれの発光タイミングと発光源が複数の場合はそれらの発光順序等を制御する発光制御信号を生成させ、導光リング２２の発光制御を行わせる。但し、カメラモード（撮像モード）における動作プログラムは、図１１に示したフローチャートのステップＳ２〜Ｓ６とステップＳ１４〜Ｓ１６の動作を含めばよく、ステップＳ１、ステップＳ７〜Ｓ１２は不要である。
【００８８】
ＲＡＭ１９５は無線通信端末として必要な各種データを記憶し、且つ制御部１８８が動作する上で必要なプログラムやデータを記憶すると共に、撮像された画像データも記憶する。音声信号処理部１９６は、マイク１７９から入力された音声信号を符号化処理したり、無線信号処理部１８７から出力された信号に基づいて複号化してスピーカ１７５から出力したりする。
【００８９】
ＤＳＰ１９７は撮影モジュール１９８に取り込まれた画像データを符号化処理する。撮影モジュール１９８はＣＣＤ若しくはＣＭＯＳで構成され、撮像レンズ１８１を介して被写体のカラー画像を取り込む。ドライバ１９９は、スピーカ１８５、バイブレータ２００、背面キー１８０のＬＥＤ１１１を駆動するためのドライバである。
【００９０】
上記図１７、図１８で示された携帯電話１７０は撮像モードで所定のタイミングで導光リング１８２を発光させ、タイミングを報知すると共に装飾イルミネーションとしての役割を果たすことができる。
【００９１】
例えば、撮像時の発光タイミングを、スルー画像表示時、露光終了時、発光停止のタイミングをシャッターキー１７７の操作時としたとき、図１１のフローチャートで示されるデジタルカメラの撮像時の動作プログラムの動作のうち、ステップＳ２〜Ｓ６とステップＳ１４〜Ｓ１６の動作を携帯電話１７０のカメラモード時の動作プログラムの動作とすればよい。このようにした場合、スルー画像表示時には図１２に示すような発光制御プログラムが呼び出され、スルー画像表示の際の所定の発光定義情報（例えば、約２秒周期で白い光が右方向に回転させる発光定義情報）により導光リング１８２を発光させるようにできる。また、ユーザがシャッターキー１７７を操作すると発光制御プログラムを呼出し、導光リング１８２の発光を停止させてユーザに撮影（露光）中であることがわかるようにし、撮影処理を開始する。そして、露光終了後に発光制御プログラムを呼出し、導光リング１８２を所定の発光定義情報（例えば、導光リング２２全体を緑色に発光させる発光定義情報）に基づいて発光させて露光が終了したことがユーザにわかるようにすることができる。
【００９２】
以上、本発明の一実施例について説明したが本発明は上記実施例に限定されるものではなく、種々の変形実施が可能であることはいうまでもない。
【００９３】
【発明の効果】
上記説明したように、本発明の発光部を備えた撮像装置、発光方法、及びプログラムによれば、被写体側での視認性を高めると共に意匠性に富んだ表現ができる。
【図面の簡単な説明】
【図１】本発明の概要説明図である。
【図２】デジタルカメラの内部構成の概略を示すブロック図である。
【図３】本発明の発光部を備えた撮像装置の概要説明図である。
【図４】多色発光源の一実施例を示す図である。
【図５】多色発光源の発光原理の説明図である。
【図６】多色発光源を構成するＲＧＢの各ＬＥＤの点灯周期による色の見え方の説明図である。
【図７】発光定義情報の一実施例（イルミネーション定義テーブル）を示す図である。
【図８】発光源に与える時系列信号の一実施例を示す図である。
【図９】デジタルカメラの導光リングの発光状態の遷移を示す説明図である。
【図１０】発光源に与える時系列信号の一実施例を示す図である。
【図１１】デジタルカメラの撮像時における動作プログラムの動作例を示すフローチャートである。
【図１２】発光制御プログラムに基づく発光制御動作を示すフローチャートである。
【図１３】導光リング及び発光源からなる導光リング構造の一実施例を示す図である。
【図１４】導光リング及び発光源からなる導光リング構造の一実施例を示す図である。
【図１５】導光リング及び発光源からなる導光リング構造の一実施例を示す図である。
【図１６】導光リング及び発光源からなる導光リング構造の一実施例を示す図である。
【図１７】本発明の実施の形態を撮像部を備えた携帯電話に適用した場合の一実施例を示す図である。
【図１８】図１７の携帯電話の構成を示すブロック図である。
【符号の説明】
１  デジタルカメラ（撮像装置）
３  ＭＰＵ（発光制御手段）
４、１８１  撮像レンズ
２０  発光源
２２、１８２  導光リング（発光部）
７０  発光定義テーブル（発光定義情報）
１７０  撮像部付き携帯電話（撮像装置）
１８８  制御部（発光制御手段）
【図１】
2004354702.tif 000003
【図２】
2004354702.tif 000004
【図３】
2004354702.tif 000005
【図４】
2004354702.tif 000006
【図５】
2004354702.tif 000007
【図６】
2004354702.tif 000008
【図７】
2004354702.tif 000009
【図８】
2004354702.tif 000010
【図９】
2004354702.tif 000011
【図１０】
2004354702.tif 000012
【図１１】
2004354702.tif 000013
【図１２】
2004354702.tif 000014
【図１３】
2004354702.tif 000015
【図１４】
2004354702.tif 000016
【図１５】
2004354702.tif 000017
【図１６】
2004354702.tif 000018
【図１７】
2004354702.tif 000019
【図１８】
2004354702.tif 000020